(57)【要約】【課題】クレードルのコードを削減し、設置場所に制限されないクレードルを実現し、クレードルの小型化およびコスト削減を可能とする。【解決手段】バッテリーあるいは外部電源により供給される電源を所望の電圧に変換する電源部と、該撮像装置全体を制御するＣＰＵと、複数の撮影画像を記憶自在な第１の画像記憶媒体及び画像表示手段とを具備する撮像装置に接続する接続手段と、前記第１の画像記憶媒体に記憶される画像情報をバックアップする第２の画像記憶媒体と、前記撮像装置の制御に基づき前記第１の画像記憶媒体と前記第２の画像記憶媒体間での画像情報の移動、コピー、消去を制御する外部記憶装置制御部と、具備し、前記接続手段に接続された前記撮像装置の前記電源部からの電源供給によって動作することを特徴とする外部記憶装置。【選択図】      図１
2006330814.tif 000002
【特許請求の範囲】
【請求項１】
バッテリーあるいは外部電源により供給される電源を所望の電圧に変換する電源部と、該撮像装置全体を制御するＣＰＵと、複数の撮影画像を記憶自在な第１の画像記憶媒体及び画像表示手段とを具備する撮像装置に接続する接続手段と、
前記第１の画像記憶媒体に記憶される画像情報をバックアップする第２の画像記憶媒体と、
前記撮像装置の制御に基づき前記第１の画像記憶媒体と前記第２の画像記憶媒体間での画像情報の移動、コピー、消去を制御する外部記憶装置制御部と、
を具備し、前記接続手段に接続された前記撮像装置の前記電源部からの電源供給によって動作することを特徴とする外部記憶装置。
【請求項２】
前記撮像装置の前記電源部からの電源供給ラインに接続されたスイッチング素子を具備し、前記接続手段に接続された前記撮像装置の前記電源部からの電源供給は、該外部記憶装置の動作時にのみ行うことを特徴とする請求項１に記載の外部記憶装置。
【請求項３】
前記撮像装置の前記電源部の複数の電源出力から選択的に電圧を供給する電圧出力選択手段を具備する、請求項１または請求項２に記載の外部記憶装置。
【請求項４】
前記電圧出力選択手段は、該外部記憶装置の動作時に前記撮像装置としては電力消費しない電源出力、あるいは電力消費の小さい電源出力を選択し、なおかつ前記撮像装置単体で動作している時の消費電力と該外部記憶装置の消費電力が近い電源出力を選択することを特徴とする請求項３に記載の外部記憶装置。
【発明の詳細な説明】
【技術分野】
【０００１】
本発明は、撮像装置の撮影画像をバックアップする撮像装置の外部記憶装置への電源供給方法に係わる外部記憶装置に関する。
【背景技術】
【０００２】
従来の撮像装置では撮影画像の記憶手段として、本体内蔵のフラッシュメモリだけでなく、取り外し自在なフラッシュメモリまたはハードディスクを用いたＣＦカードを使用する。これら外部の記憶媒体の記憶容量は増加しているものの上限があるのでいつかは他の情報記憶機器に転送した上で空き領域を確保する必要が生じる。しかし、単なるデータバックアップのためにコンピュータに接続し起動するのは面倒である。コンピュータは一般的に起動に長い時間がかかる。最近、特許文献１にもあるようにコンピュータを必要としない外部記憶装置が提案されている。前記外部記憶装置は撮像装置を接続することで撮像装置内部の記録媒体に記録されているデータの移動、コピー、画像表示手段に応じた画像変換さらには撮像装置内部の電池を充電することを可能としている。
【特許文献１】特開２００２−２０９１７５号公報
【発明の開示】
【発明が解決しようとする課題】
【０００３】
従来の撮像装置の外部記憶装置は外部記憶装置内部に外部記憶装置各部へ電力を供給する電源回路を有し、前記電源回路への電源は撮像装置の電源とは別のＡＣアダプタやＵＳＢなどのケーブルに頼るためケーブルの増加や設置場所が制限される等の問題がある。また、外部記憶装置各部へ電力を供給する電源回路がコストやサイズアップの要因にも繋がっている。
【０００４】
本発明は、以上の点に着目して成されたもので、クレードルのコードを削減し、設置場所に制限されないクレードルを実現し、クレードルの小型化およびコスト削減を可能とする外部記憶装置を提供することを目的とする。
【課題を解決するための手段】
【０００５】
上記課題を解決するために、本発明は請求項１において、バッテリーあるいは外部電源により供給される電源を所望の電圧に変換する電源部と、該撮像装置全体を制御するＣＰＵと、複数の撮影画像を記憶自在な第１の画像記憶媒体及び画像表示手段とを具備する撮像装置に接続する接続手段と、前記第１の画像記憶媒体に記憶される画像情報をバックアップする第２の画像記憶媒体と前記撮像装置の制御に基づき前記第１の画像記憶媒体と前記第２の画像記憶媒体間での画像情報の移動、コピー、消去を制御する外部記憶装置制御部とを具備し、前記接続手段に接続された前記撮像装置の前記電源部からの電源供給によって動作することを特徴とし、請求項２において、前記撮像装置の前記電源部からの電源供給ラインに接続されたスイッチング素子を具備し、前記接続手段に接続された前記撮像装置の前記電源部からの電源供給は、該外部記憶装置の動作時にのみ行うことを特徴とし、請求項３において、前記撮像装置の前記電源部の複数の電源出力から選択的に電圧を供給する電圧出力選択手段を具備することを特徴とし、請求項４において、前記電圧出力選択手段は、該外部記憶装置の動作時に前記撮像装置としては電力消費しない電源出力、あるいは電力消費の小さい電源出力を選択し、なおかつ前記撮像装置単体で動作している時の消費電力と該外部記憶装置の消費電力が近い電源出力を選択することを特徴とする。
【発明の効果】
【０００６】
本発明は請求項１において、外部記憶装置のケーブルを削減し、設置場所に制限されない外部記憶装置を実現する。また、小型化およびコスト削減を可能とする。また本発明は請求項２において、撮像装置の電源負荷を低減することを可能とする。また本発明は請求項３、請求項４において、外部記憶装置使用時の撮像装置の電源効率を最適化することを可能とする。
【発明を実施するための最良の形態】
【０００７】
以下本発明を実施するための最良の形態を、実施例により詳しく説明する。
【実施例１】
【０００８】
図１は本発明の第１の実施例を示す概略構成ブロック図である。１は撮像装置であり、以下の通りに構成されている。１０はカメラモジュールであり、撮影レンズ１１、ＣＣＤ撮像素子１２、撮像素子制御部１３、及び画像処理部１４で構成されている。ＣＣＤ撮像素子１２は撮影レンズ１１による光学像を電気信号に変換する。撮像素子制御部１３はＣＣＤ撮像素子１２に転送クロック及びシャッター信号を供給するタイミング発生回路、ＣＣＤ撮像素子１２からの画像信号にノイズ除去及びゲイン調整処理を施すＣＤＳ／ＡＧＣ回路及びＣＤＳ／ＡＧＣ回路のアナログ出力をデジタル信号に変換するＡ／Ｄ変換器を具備し、１秒間に３０画面（フレーム）の画像データを常時出力する。画像処理部１４は撮像素子制御部１３からの画像データに、ホワイトバランス調整及び露出調整等の画像処理を行い、ＹＣｂＣｒ形式に変換して出力する。
【０００９】
１５は該撮像装置全体を制御すると共に後述の該撮像装置１の撮影画像をバックアップする外部記憶装置２７を制御するＣＰＵ、１６は電子ビューファインダとなるＬＣＤ表示部、１７はＬＣＤ表示部１６を駆動する表示駆動部、１８は表示駆動部１７を制御してＬＣＤ表示部１６にＶＲＡＭ１９に記憶される画像を表示させるＬＣＤ制御部である。２０は撮像装置１を操作する操作部である。
【００１０】
２１は画像展開エリア２１ａ、ワークエリア２１ｂ、及び一時待機エリア（又はスタックエリア）２１Ｃを具備するＲＡＭ、２２はＳＤカード等撮影画像データを記憶する第１の記憶媒体、２３はＣＰＵ１５の制御プログラム及びフォルダの初期設定情報などを記憶するＲＯＭである。２４は撮像装置１の電源となる電池（もしくはＡＣアダプタ等の外部電源）、２５は電池２４より供給される電圧を撮像装置１および後述の外部記憶装置２７が必要とする電圧に変換する電源部、２６はＣＰＵ１５、ＲＡＭ２１、第１の記憶媒体２２及びＲＯＭ２３を接続するシステムバスであり、アドレス線、データ線及び制御線からなる。また、システムバス２６は撮像装置１と後述の外部記憶装置２７が後述の接続部２８で接続された場合には後述の第２の記憶媒体２９にも接続する。
【００１１】
２７は第１の記憶媒体２２の記憶データをバックアップする機能を具備する外部記憶装置であり、接続部２８、第２の記憶媒体２９、外部記憶装置制御部３０で構成されている。３１は撮像装置１の電源部２５から外部記憶装置制御部３０に電源を供給する電源ライン、３２は該撮像装置のＣＰＵ１５が外部記憶装置制御部３０を制御するための制御ラインである。
【００１２】
図２に電源部２５から外部記憶装置制御部３０への電源供給を示すブロック図を示す。電源部２５は電源出力１、電源出力２、電源出力３、電源出力４の４出力で構成されている（今回は一例として４出力に構成したが出力数はこれに限ることはない）。
【００１３】
本実施例の動作を説明する。撮影から撮影した画像を第１の記憶媒体２２に保存するまでの動作は従来と同様のため省略する。撮像装置１と外部記憶装置２７が接続部２８を介して接続された状態で操作部２０により撮像装置を起動すると、撮像装置１内部の電源部２５のあらかじめ定められ電源出力（本実施例では電源出力２）より電源ライン３１を介して外部記憶装置２７内部の外部記憶装置制御部３０に電源が供給される。操作部２０により第１の記憶媒体２２と第２の記憶媒体２９との間で画像データのやりとりを行うメニューが選択されると、ＣＰＵ１５は外部記憶装置制御部３０を制御ライン３２を介して制御し、システムバス２６を介して選択メニューに関わる所望の動作を実行する。
【００１４】
ここで上記第１の記憶媒体２２と第２の記憶媒体２９との間での画像データのやりとりとは、第１の記憶媒体２２に保存された画像データの第２の記憶媒体２９への移動またはコピー、第２の記憶媒体２９に保存された画像データの第１の記憶媒体２２への移動またはコピー、第２の記憶媒体２９へ保存されたデータの消去等を意味する。本実施例の場合、電源部２５から外部記憶装置制御部３０への電源供給は、撮像装置１と外部記憶装置２７が接続部２８を介して接続され、撮像装置が起動している状態であれば常時行われる。
【実施例２】
【００１５】
図３は本発明の第２の実施例を示す電源部２５から外部記憶装置制御部３０への電源供給を示すブロック図である。３３はＣＰＵ１５が外部記憶装置制御部３０への電源供給を制御するための制御ライン、３４は電源ライン３１に接続され外部記憶装置制御部３０への電源供給をオンオフするスイッチである。
【００１６】
本実施例の動作を説明する。撮像装置１と外部記憶装置２７が接続部２８を介して接続された状態で操作部２０により撮像装置を起動すると、電源部２５より電源が出力される。しかしこの状態ではスイッチ３４がオフ状態にあり、外部記憶装置制御部３０には電源が供給されない。操作部２０により第１の記憶媒体２２と第２の記憶媒体２９との間で画像データのやりとりを行うメニューが選択されると、ＣＰＵ１５は制御ライン３３を介してスイッチ３４をオン状態にする制御を行い、外部記憶装置制御部３０に電源が供給される。電源供給後、第１の記憶媒体２２と第２の記憶媒体２９との間での画像データのやりとりを行う動作は実施例１と同様である。また、画像データのやりとりを終了後、操作部２０により画像データのやりとりに関わらないモードが選択されると、ＣＰＵ１５は制御ライン３３を介してスイッチ３４をオフ状態にする制御を行い、外部記憶装置制御部３０への電源供給を遮断する。
【実施例３】
【００１７】
図４は本発明の第３の実施例を示す電源部２５から外部記憶装置制御部３０への電源供給を示すブロック図である。３５は電源部２５から出力される複数の電源出力から電源出力を選択する電源出力選択手段、３６はＣＰＵ１５が電源出力選択手段３５を制御するための制御ライン、３７・３８・３９は電源ラインである。電源部２５と電源出力選択手段３５とを接続する電源ラインは外部記憶装置２７の動作時に撮像装置１としては電力消費しない電源出力、あるいは電力消費の小さい電源出力に接続し、なおかつ前記撮像装置１単体で動作している時の消費電力と外部記憶装置２７の消費電力が近い電源出力に接続することが望ましい。
【００１８】
電源出力手段３５は外部記憶装置制御部３０の消費電力値および、電源部２５の各電源出力の撮像装置１単体で動作している時の消費電力と第１の記憶媒体２２と第２の記憶媒体２９との間で画像データのやりとりを行うときの消費電力の差分値を有しおり、操作部２０により第１の記憶媒体２２と第２の記憶媒体２９との間で画像データのやりとりを行うメニューが選択されると、ＣＰＵ１５は制御ライン３６を介して電源出力選択手段３５の制御を行う。
【００１９】
そして、電源出力選択手段３５は前記消費電力値と前記差分値との比較を行い、差が小さい電源出力を選択的に選んで接続する。電源供給後、第１の記憶媒体２２と第２の記憶媒体２９との間での画像データのやりとりを行う動作は実施例１と同様である。また、画像データのやりとりを終了後、操作部２０により画像データのやりとりに関わらないモードが選択されると、ＣＰＵ１５は制御ライン３６を介して電源出力選択手段３５をオフ状態にする制御を行い、外部記憶装置制御部３０への電源供給を遮断する。
【図面の簡単な説明】
【００２０】
【図１】本発明の第１の実施例を示す概略構成ブロック図
【図２】電源部２５から外部記憶装置制御部３０への電源供給を示すブロック図
【図３】本発明の第２の実施例である電源部２５から外部記憶装置制御部３０への電源供給を示すブロック図
【図４】本発明の第３の実施例である電源部２５から外部記憶装置制御部３０への電源供給を示すブロック図
【符号の説明】
【００２１】
１  撮像装置
１０  カメラモジュール
１１  撮影レンズ
１２  ＣＣＤ撮像素子
１３  撮像素子制御部
１４  画像処理部
１５  ＣＰＵ
１６  ＬＣＤ表示部
１７  表示駆動部
１８  ＬＣＤ制御部
１９  ＶＲＡＭ
２０  操作部
２１  ＲＡＭ
２２  第１の記憶媒体
２３  ＲＯＭ
２４  電池
２５  電源部
２６  システムバス
２７  外部記憶装置
２８  接続部
２９  第２の記憶媒体
３０  外部記憶装置制御部
３１・３７・３８・３９  電源ライン
３２・３３・３６  制御ライン
３４  スイッチ
３５  電源出力選択手段
【図１】
2006330814.tif 000003
【図２】
2006330814.tif 000004
【図３】
2006330814.tif 000005
【図４】
2006330814.tif 000006